(57)【要約】【課題】装置全体の高さを低く抑えた複合装置の提供を目的とする。【解決手段】画像形成装置２の上方に画像読取装置３を備え、さらに画像形成装置２により画像形成され、排出された用紙Ｐを保持する用紙保持部５を画像形成装置２と画像読取装置３との間に備えた複合装置１であって、用紙Ｐを用紙保持部５へ排出する排出機構４を有し、この排出機構４の少なくとも一部が、用紙保持部５に面する画像読取装置３の下面３ａよりも上方に配置された複合装置１である。この複合装置１では、用紙Ｐを用紙保持部５へ排出する排出機構４の上方のローラ４ａが、用紙保持部５に面する画像読取装置３の下面３ａよりも上方に配置されているので、画像読取装置３の上面３ｂまでの高さが低くなり、装置全体の高さを低く抑えることができる。【選択図】図１
2008005184.tif 000002
【特許請求の範囲】
【請求項１】
画像形成装置の上方に画像読取装置を備え、さらに前記画像形成装置により画像形成され、排出された記録媒体を保持する保持部を前記画像形成装置と画像読取装置との間に備えた複合装置であって、
前記記録媒体を前記保持部へ排出する排出機構を有し、
この排出機構の少なくとも一部が、前記保持部に面する前記画像読取装置の下面よりも上方に配置されていることを特徴とする複合装置。
【請求項２】
前記保持部は、前記排出機構から排出される記録媒体の先端を後端よりも低くなるように保持するものであることを特徴とする請求項１記載の複合装置。
【請求項３】
前記排出機構は、一対以上のローラから構成されるものであり、
このローラのうち少なくとも１つのローラが、前記保持部に面する前記画像読取装置の下面よりも上方に配置されていることを特徴とする請求項１または２に記載の複合装置。
【請求項４】
前記排出機構の少なくとも一部が、前記画像読取装置内に配置されていることを特徴とする請求項１から３のいずれかに記載の複合装置。
【発明の詳細な説明】
【技術分野】
【０００１】
本発明は、画像形成装置および画像読取装置を備えた複合装置に関する。
【背景技術】
【０００２】
以下、本願発明の背景技術について説明する。
【０００３】
図４は従来の複合装置の概略構成を示す断面図である。図４に示すように、画像形成装置１１および画像読取装置１２の両装置を備えた複合装置１０は、画像形成装置１１の上方に画像読取装置１２を配置した構成を採っている（例えば、特許文献１参照。）。また、この種の複合装置１０では、必要な設置面積を小さくするため、画像形成装置１１により画像形成され、排出された用紙を保持する保持部１３を画像形成装置１１と画像読取装置１２との間に備える。画像読取装置１２は、画像形成後の用紙を保持部１３へ排出する排出機構１４の上方に、支持部１５を介して連結されている。
【特許文献１】特開２０００−２８９９１７号公報
【発明の開示】
【発明が解決しようとする課題】
【０００４】
近年、ＳＯＨＯ向けに複合装置１０の小型化が望まれており、複合装置１０についても（特許文献１）に記載のような従来のデスクサイド設置型のものよりもデスクトップ設置型のものが求められている。このようなデスクトップ設置型では、椅子に座ったままの状態で各種操作を行うことが可能であることが望まれるため、設置面積だけでなく、装置の高さが低いことが要求される。
【０００５】
ところが、図４に示す複合装置１０では、画像読取装置１２が、画像形成装置１１の排出機構１４の上方に支持部１５を介して連結されているので、画像読取装置１２の上面の位置が高くなっている。そのため、この複合装置１０をデスク上に設置しても、椅子に座ったまま画像読取装置１２の操作を行うことが困難である。
【０００６】
そこで、本発明においては、装置全体の高さを低く抑えた複合装置を提供することを目的とする。
【課題を解決するための手段】
【０００７】
上記課題を解決するため、本発明の複合装置は、画像形成装置の上方に画像読取装置を備え、さらに画像形成装置により画像形成され、排出された記録媒体を保持する保持部を画像形成装置と画像読取装置との間に備えた複合装置であって、記録媒体を保持部へ排出する排出機構を有し、この排出機構の少なくとも一部が、保持部に面する画像読取装置の下面よりも上方に配置されていることを特徴とする。
【発明の効果】
【０００８】
本発明によれば、記録媒体を保持部へ排出する排出機構の少なくとも一部が、保持部に面する画像読取装置の下面よりも上方に配置されているので、画像読取装置の上面までの高さが低くなり、装置全体の高さを低く抑えた複合装置が得られる。
【発明を実施するための最良の形態】
【０００９】
本願の第１の発明は、画像形成装置の上方に画像読取装置を備え、さらに画像形成装置により画像形成され、排出された記録媒体を保持する保持部を画像形成装置と画像読取装置との間に備えた複合装置であって、記録媒体を保持部へ排出する排出機構を有し、この排出機構の少なくとも一部が、保持部に面する画像読取装置の下面よりも上方に配置されていることを特徴とする複合装置である。本発明によれば、記録媒体を保持部へ排出する排出機構の少なくとも一部が、保持部に面する画像読取装置の下面よりも上方に配置されているので、画像読取装置の上面までの高さが低くなり、装置全体の高さを低く抑えた複合装置が得られる。
【００１０】
本願の第２の発明は、保持部が、排出機構から排出される記録媒体の先端を後端よりも低くなるように保持するものであることを特徴とする。本発明によれば、排出される記録媒体の先端側から記録媒体を取り出す際に、この取り出し側の空間が広くなるため、作業性が良くなる。
【００１１】
本願の第３の発明は、排出機構が、一対以上のローラから構成されるものであり、このローラのうち少なくとも１つのローラが、保持部に面する画像読取装置の下面よりも上方に配置されていることを特徴とする。本発明によれば、排出機構の一部であるローラが、保持部に面する画像読取装置の下面よりも上方に配置されているので、この画像読取装置の下面よりも上方に配置されているローラの分だけ装置全体の高さを低く抑えることができる。
【００１２】
本願の第４の発明は、排出機構の少なくとも一部が、画像読取装置内に配置されていることを特徴とする。本発明によれば、画像読取装置内に配置されている排出機構の分だけ装置全体の高さを低く抑えることができる。
【００１３】
（実施の形態１）
以下、本発明の実施の形態１について、図面を参照して説明する。
【００１４】
図１は本発明の実施の形態１における複合装置の概略構成を示す断面図であって、（ａ）は通常状態を示す図、（ｂ）は画像読取装置を上げた状態を示す図である。
【００１５】
図１（ａ）に示すように、本発明の実施の形態１における複合装置１は、記録媒体としての用紙Ｐ上に画像形成を行う画像形成装置２と、この画像形成装置２の上方に配置された画像読取装置３とから構成される。画像読取装置３は、原稿から画像読み取りを行うものである。複合装置１をコピー装置として使用する場合、画像読取装置３により原稿を読み取ると、この読み取られた画像が画像形成装置２により用紙Ｐ上に形成される。
【００１６】
画像形成装置２は、図示しないが、現像器、感光体、ＬＳＵ（レーザスキャニングユニット）、用紙Ｐを供給する給紙カセット、給紙カセットから用紙Ｐを１枚ずつ供給するピックアップローラ、転写ローラ等を備える。画像形成後の用紙Ｐは、一対のローラ４ａ，４ｂ等から構成される排出機構４により、画像形成装置２と画像読取装置３との間に形成された用紙保持部５へ排出される。
【００１７】
なお、本実施の形態１においては、排出機構４の上方のローラ４ａは画像読取装置３内に配置されており、下方のローラ４ｂは画像形成装置２内に配置されている。つまり、ローラ４ａは、画像読取装置３内に配置されることにより、用紙保持部５に面する画像読取装置３の下面３ａよりも上方に配置されていることになる。
【００１８】
また、画像読取装置３は、図示しないヒンジ機構によって端部が揺動可能に画像形成装置２に装着されている。したがって、ローラ４ａは、図１（ｂ）に示すように画像読取装置３を上げると、画像読取装置３とともに上方へ移動するので、ローラ４ａ，４ｂ間に用紙Ｐが詰まった場合には、画像読取装置３を持ち上げるだけで詰まった用紙Ｐを取り除くことが可能である。
【００１９】
用紙保持部５は、画像形成装置２の筐体に形成された凹部であり、その底面５ａは、排出機構４から排出される用紙Ｐの先端が後端よりも低くなるように傾斜を設けて形成されている。また、用紙保持部５の下端部には、排出機構４から排出される用紙Ｐが落下しないようにストッパ６が形成されている。
【００２０】
上記構成の複合装置１では、用紙Ｐを用紙保持部５へ排出する排出機構４の一部であるローラ４ａが、用紙保持部５に面する画像読取装置３の下面３ａよりも上方に配置されているので、画像読取装置３の上面３ｂまでの高さが低くなり、装置全体の高さを低く抑えることが可能となる。
【００２１】
図２は図４に示す従来の複合装置１０と本実施の形態１における複合装置１との装置全体の高さを比較した図である。図２に示すように、本実施の形態１における複合装置１は、従来の複合装置１０と比較して支持部１５の上端面からローラ４ａの下端面までの長さの分だけ装置全体の高さが低くなっている。
【００２２】
また、本実施の形態１における複合装置１では、用紙保持部５が、排出機構４から排出される用紙Ｐの先端を後端よりも低くなるように保持するので、この排出される用紙Ｐをその先端側（図１の左側）から取り出す際に、この取り出し側の空間が広くなる。そのため、用紙Ｐの取り出し時の作業性が良い。
【００２３】
（実施の形態２）
次に、本発明の実施の形態２について説明する。図３は本発明の実施の形態２の複合装置の概略構成を示す断面図であって、（ａ）は通常状態を示す図、（ｂ）は画像読取装置を上げた状態を示す図である。なお、図３において、図１と同じ構成部分については、図１と同一の符号を付している。
【００２４】
図３に示すように、この複合装置７では、排出機構４のローラ４ａが画像形成装置８内に配置されており、画像読取装置９内には配置されていない。その代わりに、画像読取装置９は、画像形成装置８の排出機構４のローラ４ａよりも上方の部分に相当する部分が凹状に形成されている。また、この複合装置７においても、排出機構４のローラ４ａは、用紙保持部５に面する画像読取装置９の下面９ａよりも上方に配置されている。
【００２５】
このような構成であっても、用紙Ｐを用紙保持部５へ排出する排出機構４の一部であるローラ４ａが、用紙保持部５に面する画像読取装置９の下面よりも上方に配置されていることにより、画像読取装置９の上面９ｂまでの高さが低くなり、装置全体の高さを低く抑えることが可能となる。
【産業上の利用可能性】
【００２６】
本発明は、画像形成装置および画像読取装置を備えた複合装置として有用である。特に、本発明は、装置全体の高さを低く抑えた複合装置として好適である。
【図面の簡単な説明】
【００２７】
【図１】本発明の実施の形態１における複合装置の概略構成を示す断面図
【図２】図４に示す従来の複合装置と本実施の形態１における複合装置との装置全体の高さを比較した図
【図３】本発明の実施の形態２の複合装置の概略構成を示す断面図
【図４】従来の複合装置の概略構成を示す断面図
【符号の説明】
【００２８】
１，７    複合装置
２，８    画像形成装置
３，９    画像読取装置
３ａ，９ａ    下面
３ｂ，９ｂ    上面
４    排出機構
４ａ，４ｂ    ローラ
５    用紙保持部
５ａ    底面
６    ストッパ
Ｐ    用紙
【図１】
2008005184.tif 000003
【図２】
2008005184.tif 000004
【図３】
2008005184.tif 000005
【図４】
2008005184.tif 000006